(57)【要約】【課題】  圧縮要素を駆動要素の上側に配置した圧縮機において、圧縮要素の摺動部等へのオイル供給を円滑に行う。【解決手段】  圧縮要素３は、内部に圧縮空間２１が構成されるシリンダ７８と、シリンダ７８内の圧縮空間２１に連通する吸込ポート２７及び吐出ポート２８と、回転軸の軸方向に交差する一面が上死点と下死点の間で連続して傾斜すると共に、シリンダ７８内に配置されて回転し、吸込ポート２７から吸い込まれた流体（冷媒）を圧縮して吐出ポート２８より吐出する圧縮部材８９と、吸込ポート２７と吐出ポート２８間に配置されて圧縮部材８９の一面９３に当接し、シリンダ７８内の圧縮空間２１を低圧室ＬＲと高圧室ＨＲとに区画するベーン１１とから構成され、圧縮要素３を駆動要素２の上側に配置し、密閉容器１内下部のオイル溜め３６からオイルポンプ４０により圧縮要素３にオイルを供給する。【選択図】図１
2006097631.tif 000002
【特許請求の範囲】
【請求項１】
密閉容器内に収納された駆動要素及び該駆動要素の回転軸により駆動される圧縮要素とを備え、
該圧縮要素は、内部に圧縮空間が構成されるシリンダと、
該シリンダ内の圧縮空間に連通する吸込ポート及び吐出ポートと、
前記回転軸の軸方向に交差する一面が上死点と下死点の間で連続して傾斜すると共に、前記シリンダ内に配置されて回転し、前記吸込ポートから吸い込まれた流体を圧縮して前記吐出ポートより吐出する圧縮部材と、
前記吸込ポートと吐出ポート間に配置されて前記圧縮部材の一面に当接し、前記シリンダ内の圧縮空間を低圧室と高圧室とに区画するベーンとから構成され、
前記圧縮要素を前記駆動要素の上側に配置し、前記密閉容器内下部のオイル溜めからオイルポンプにより前記圧縮要素にオイルを供給することを特徴とする圧縮機。
【請求項２】
前記回転軸の軸受を、前記圧縮要素の上側及び／又は下側と、前記駆動要素の下側に設けたことを特徴とする請求項１の圧縮機。
【請求項３】
前記吐出ポートより前記密閉容器内に流体を吐出すると共に、前記圧縮部材の他面側の圧力を、前記吸込ポートに吸い込まれる流体の圧力より高く、前記密閉容器内の圧力より低い値としたことを特徴とする請求項１又は請求項２の圧縮機。
【請求項４】
前記圧縮部材の一面を、前記駆動要素とは反対側に配置すると共に、前記ベーンの背圧を、前記圧縮部材の他面側の圧力より高く、前記密閉容器内の圧力より低い値としたことを特徴とする請求項３の圧縮機。
【発明の詳細な説明】
【技術分野】
【０００１】
本発明は、冷媒や空気などの流体を圧縮して吐出する圧縮機に関するものである。
【背景技術】
【０００２】
従来より例えば冷凍機においては圧縮機を用いて冷媒を圧縮し、回路内を循環させる方式が採られている。この場合の圧縮機の方式としては、回転式圧縮機と称されるロータリ圧縮機（例えば、特許文献１参照。）やスクロール圧縮機、スクリュー圧縮機などがある。
【０００３】
上記ロータリ圧縮機は構造が比較的簡単で生産コストが安価である利点があるものの、振動とトルク変動が大きくなる問題がある。また、スクロール圧縮機やスクリュー圧縮機はトルク変動は小さいものの、加工性が悪く、コストが高騰する問題があった。
【０００４】
そこで、シリンダ内に回転する圧縮部材としての斜板を設け、この斜板の上下に構成される圧縮空間をベーンで区画して流体を圧縮する方式も開発されている（例えば、特許文献２参照。）。係る方式の圧縮機によれば、構造比較的簡単にして振動の少ない圧縮機を構成できる利点がある。
【特許文献１】特開平５−９９１７２号公報
【特許文献２】特表２００３−５３２００８号公報
【発明の開示】
【発明が解決しようとする課題】
【０００５】
しかしながら、上記特許文献２のような構造の場合、シリンダ内全域において斜板の上下で高圧室と低圧室とが隣接するかたちとなるため、高低圧差が大きくなり、冷媒リークによる効率悪化が問題となる。
【０００６】
また、特許文献２のような構造の圧縮機においても、従来の特許文献１の圧縮機と同様に密閉容器内下部にオイル溜めが構成され、当該オイル溜めからオイルポンプにより圧縮要素にオイルを供給するものとされていたため、例えば、駆動要素の上側に圧縮要素を配置するなど、圧縮要素をオイル溜めから離れた位置に設けた場合、オイルポンプによる給油が困難となり、給油が不足する問題が生じていた。
【０００７】
本発明は、係る従来の技術的課題を解決するために成されたものであり、圧縮要素を駆動要素の上側に配置した圧縮機において、圧縮要素の摺動部等へのオイル供給を円滑に行うことを目的とする。
【課題を解決するための手段】
【０００８】
本発明の圧縮機は、密閉容器内に収納された駆動要素及びこの駆動要素の回転軸により駆動される圧縮要素とを備え、この圧縮要素は、内部に圧縮空間が構成されるシリンダと、このシリンダ内の圧縮空間に連通する吸込ポート及び吐出ポートと、回転軸の軸方向に交差する一面が上死点と下死点の間で連続して傾斜すると共に、シリンダ内に配置されて回転し、吸込ポートから吸い込まれた流体を圧縮して吐出ポートより吐出する圧縮部材と、吸込ポートと吐出ポート間に配置されて圧縮部材の一面に当接し、シリンダ内の圧縮空間を低圧室と高圧室とに区画するベーンとから構成され、圧縮要素を駆動要素の上側に配置し、密閉容器内下部のオイル溜めからオイルポンプにより圧縮要素にオイルを供給するものである。
【０００９】
請求項２の発明の圧縮機は、上記発明において回転軸の軸受を、圧縮要素の上側及び／又は下側と、駆動要素の下側に設けたものである。
【００１０】
請求項３の発明の圧縮機は、上記各発明に加えて吐出ポートより密閉容器内に流体を吐出すると共に、圧縮部材の他面側の圧力を、吸込ポートに吸い込まれる流体の圧力より高く、密閉容器内の圧力より低い値としたものである。
【００１１】
請求項４の発明の圧縮機は、請求項３の発明において圧縮部材の一面を、駆動要素とは反対側に配置すると共に、ベーンの背圧を、圧縮部材の他面側の圧力より高く、密閉容器内の圧力より低い値としたものである。
【発明の効果】
【００１２】
本発明の圧縮機によれば、圧縮要素を駆動要素の上側に配置し、密閉容器内下部のオイル溜めからオイルポンプにより圧縮要素にオイルを供給するので、請求項３の如く圧縮部材の他面側の圧力を、吸込ポートに吸い込まれる流体の圧力より高く、密閉容器内の圧力より低い値とすることで、圧縮要素を駆動要素の上側に配置した場合においても給油を行うことができるようになる。
【００１３】
また、請求項２のように回転軸の軸受を、圧縮要素の上側及び／又は下側と、駆動要素の下側に設けることで、回転軸を安定的に支持して、圧縮機に生じる振動を効果的に低減することができるようになる。
【００１４】
特に、請求項４の如く圧縮部材の一面を、駆動要素とは反対側に配置することで、軸受からのガスリークが生じ難くなり、軸受のシール性を高めることができるようになる。更に、ベーンの背圧を、圧縮部材の他面側の圧力より高く、密閉容器内の圧力より低い値とすることで、圧力差を利用した給油が可能となる。
【００１５】
これらにより、圧縮要素を駆動要素の上側に配置した圧縮機において、円滑な給油を行うことができるようになり、信頼性の改善を図ることができるようになる。
【発明を実施するための最良の形態】
【００１６】
以下、図面に基づき本発明の実施形態を詳細に説明する。尚、以後説明する各実施例の圧縮機Ｃは、例えば冷凍機の冷媒回路を構成し、冷媒を吸い込んで圧縮し、回路内に吐出する役割を果たすものである。
【実施例１】
【００１７】
図１は本発明の第１実施例の圧縮機Ｃの縦側断面図、図２は図１の圧縮機Ｃのもう一つの縦側断面図、図３は図１の圧縮機Ｃの更にもう一つの縦断側面図、図４は図１の圧縮機Ｃの圧縮要素の斜視図をそれぞれ示している。
【００１８】
各図において、１は密閉容器であり、この密閉容器１内には上側に圧縮要素３が、下側に駆動要素２がそれぞれ収納されている。即ち、圧縮要素３を、駆動要素２の上側に配置している。
【００１９】
駆動要素２は、密閉容器１の内壁に固定され、固定子コイルが巻装された固定子４と、この固定子４の内側で中央に回転軸５を有する回転子６とで構成された電動モータである。
【００２０】
圧縮要素３は、密閉容器１の内壁に固定され、回転軸５の上端側に位置する支持部材７７と、この支持部材７７の下側にボルトにより取り付けられたシリンダ７８と、このシリンダ７８内に配置された圧縮部材８９と、ベーン１１、吐出バルブ１２、シリンダ７８の下側にボルトにより取り付けられた主支持部材７９等から構成されている。主支持部材７９の下面中央部は同心状に下方に突出し、そこに回転軸５の主軸受１３が形成されている。また、主支持部材７９の上面はシリンダ７８の下開口部を閉塞している。
【００２１】
上記支持部材７７は、外周面が密閉容器１の内壁に固定された主部材８５と、該主部材８５の中央に貫通形成された副軸受８３と、主部材８５の下面中央部にボルトにより固定された突出部材８４とにより構成され、この突出部材８４の下面８４Ａは平滑面とされている。
【００２２】
支持部材７７の突出部材８４内にはスロット１６が形成され、このスロット１６内には前記ベーン１１が上下往復動自在に挿入される。このスロット１６の上部には背圧室１７が形成されると共に、スロット１６内にはベーン１１の上面を下方に押圧する付勢手段としてのコイルバネ１８が配置されている。
【００２３】
そして、シリンダ７８の上開口部は支持部材７７により閉塞され、これにより、シリンダ７８内部（シリンダ７８内の圧縮部材８９と支持部材７７の突出部材８４との間）には圧縮空間２１が構成される。また、支持部材７７の主部材８５及び突出部材８４には吸込通路２４が形成されると共に、密閉容器１には吸込配管２６が取り付けられてこの吸込通路２４の一端に接続されている。シリンダ７８には圧縮空間２１に連通する吸込ポート２７と吐出ポート２８が形成されており、吸込通路２４の他端は吸込ポート２７に連通している。また、ベーン１１はこの吸込ポート２７と吐出ポート２８の間に位置している（図４）。
【００２４】
前記回転軸５は、主支持部材７９に形成された主軸受１３と支持部材７７に形成された副軸受８３と下端に形成された副軸受８６に支持されて回転する。即ち、回転軸５は係る主支持部材７９、シリンダ７８、支持部材７７の中央に挿通され、上下方向の中央部を主軸受１３により回転自在に軸支される。また、回転軸５の上方は副軸受８３にて回転自在に軸支されると共に、上端は支持部材７７にて覆われている。更に、回転軸５の下方は副軸受８６により軸支されている。この副軸受８６は、駆動要素２の下側に設けられて、中心部に回転軸５を挿通するための孔を有する略ドーナッツ形状を呈しており、外周縁は軸心方向に起立して、密閉容器１の内壁に固定されている。この副軸受８６には所々上下を連通する孔８７が形成されている。また、副軸受８６に形成された凸部８８は、駆動要素２等から回転軸５に伝達された振動が副軸受８６を介して密閉容器１に伝わるのを防ぐ、吸振作用を奏するものである。
【００２５】
このように、回転軸５の軸受を圧縮要素３の上側（副軸受８３）及び下側（主軸受１３）と、駆動要素２の下側（副軸受８６）に設けることで、回転軸５を安定的に支持して、圧縮機Ｃに生じる振動を効果的に低減することができる。これにより、圧縮機Ｃの振動特性の向上を図ることができるようになる。
【００２６】
また、圧縮空間２１を駆動要素２とは反対側の圧縮部材８９の上面９３に配置することで、主軸受１３からのガスリークが生じ難くなり、主軸受１３のシール性を高めることができる。更に、回転軸５の上端を支持部材７７にて閉塞することで、副軸受８３のシール性も向上し、且つ、回転軸５の周面が高圧となる不都合も回避することができるようになる。
【００２７】
従来、圧縮要素３を密閉容器１の上側に配置した場合、密閉容器１内下部のオイル溜め３６のオイルを圧縮要素３の圧縮部材８９等の摺動部に供給するのが困難であった。
【００２８】
即ち、回転軸５の周面に高圧ガスが入り込んで高圧となるため、回転軸５の上方に設けられ、オイル通路４２から回転軸５の軸方向となる圧縮要素３の側面に渡って形成されたオイル孔４４、４５からの給油を円滑に行うことができなかった。
【００２９】
しかしながら、回転軸５の上端を支持部材７７にて閉塞することで、副軸受８３のシール性が向上し、回転軸５の周面が高圧となる不都合を改善図ることが出来るので、オイルポンプ４０によりオイルを密閉容器１の上側に設けられた圧縮部材８９等の摺動部に供給することが可能となり、オイル供給量の最適化を図ることができるようになる。
【００３０】
そして、圧縮部材８９は係る回転軸５の上部に一体に形成され、シリンダ７８内に配置されている。この圧縮部材８９は、回転軸５により回転駆動され、吸込ポート２７から吸い込まれた流体（冷媒）を圧縮して吐出ポート２８より密閉容器１内に吐出するためのものであり、全体としては回転軸５と同心の略円柱状を呈している。
【００３１】
また、圧縮部材８９の回転軸５の軸方向に交差する上面９３（一面）が最も高くなる上死点から最も低くなる下死点を経て上死点に戻る上死点から下死点の間で連続して傾斜する形状を呈している。
【００３２】
この圧縮部材８９の連続して傾斜する形状を呈する一面は、圧縮部材８９の密閉容器１内の下側に収納された駆動要素２とは反対側の面となる上面９３に配置されている。
【００３３】
一方、ベーン１１は吸込ポート２７と吐出ポート２８の間に配置されると共に、圧縮部材８９の上面９３に当接し、シリンダ７８内の圧縮空間２１を低圧室ＬＲと高圧室ＨＲとに区画する。また、コイルバネ１８はこのベーン１１を常時上面９３側に付勢する。
【００３４】
シリンダ７８の下開口部は主支持部材７９により閉塞され、圧縮部材８９の下面（他面）と主支持部材７９の間（圧縮空間２１の背面側）には、空間５４が形成されている。この空間５４は、圧縮部材８９と主支持部材７９により密閉された空間とされている。そして、当該空間５４には圧縮部材８９とシリンダ７８との間のクリアランスから僅かに圧縮空間２１内の冷媒が流れ込むため、空間５４の圧力は、吸込ポート２７に吸い込まれる低圧冷媒より高く、密閉容器１内の高圧冷媒の圧力より低い値（中間圧）となる。
【００３５】
このように、空間５４の圧力を中間圧とすることで、圧縮部材８９が空間５４の圧力により上側に強く押されて、圧縮部材８９の上面９３が受け面となる突出部材８４の下面８４とが著しく摩耗する不都合を回避することができる。これにより、圧縮部材８９の上面９３の耐久性を改善することができる。
【００３６】
更に、圧縮部材８９の他面側となる空間５４の圧力を中間圧とすることで、密閉容器１内の圧力より空間５４の圧力が低くなるので、当該圧力差を利用して、空間５４の周辺部である圧縮部材８９や主軸受１３付近へのオイル供給も円滑に行うことができるようになる。
【００３７】
他方、前述した背圧室１７は従来のように高圧とせずに、密閉空間として当該背圧室１７の圧力を吸込ポート２７に吸い込まれる冷媒（冷媒）の圧力より高く、且つ、密閉容器１内の圧力より低い値としている。従来では、背圧室１７の一部と密閉容器１内とを連通させて、背圧室１７内を高圧として、コイルバネ１８に加えてベーン１１を下方に付勢するものとしていた。しかしながら、本実施例では圧縮要素３が密閉容器１の上方に位置するため、背圧室１７を高圧とすることで、ベーン１１付近への給油が不足する恐れがあった。
【００３８】
ここで、背圧室１７を密閉容器１内と連通させずに、密閉した空間とすることで、当該背圧室１７にはベーン１１の隙間から圧縮空間２１の低圧室側と高圧室側の冷媒が僅かに流入するのみとなる。このため、背圧室１７は吸込ポート２７に吸い込まれる冷媒の圧力より高く、且つ、密閉容器１内の圧力より低い中間圧となる。これにより、密閉容器１内より背圧室１７内の圧力の方が低くなるので、係る圧力差を利用して、回転軸５内のオイル通路４２を上昇し、オイル孔４４、４５からのオイルをベーン１１の周辺部にも供給することができるようになる。
【００３９】
これらにより、圧縮要素３を密閉容器１内の上側に設けた場合においても、圧縮部材８９やベーン１１等の摺動部への給油を円滑に行うことができ、圧縮機Ｃの信頼性を改善することができるようになる。
【００４０】
また、圧縮部材８９の周面はシリンダ７８の内壁との間に微小なクリアランスを構成し、これにより、圧縮部材８９は回転自在とされている。そして、この圧縮部材８９の周面とシリンダ７８の内壁との間もオイルによってシールされる。
【００４１】
前記吐出ポート２８の外側にはシリンダ７８の圧縮空間２１の側面に位置して前記吐出バルブ１２が取り付けられると共に、シリンダ７８及び支持部材７７には、該吐出バルブ１２と密閉容器１内の上側とを連通する吐出管９５が形成されている。即ち、シリンダ７８内で圧縮された冷媒は吐出ポート２８から吐出バルブ１２、吐出管９５を介して密閉容器１内上部に吐出されることとなる。
【００４２】
また、シリンダ７８及び支持部材７７の前記吐出バルブ１２の略対称となる位置には、当該シリンダ７８及び支持部材７７を軸心方向（上下方向）に貫通する連通孔１２０が形成されている。密閉容器１の側面の上記連通孔１２０の下部に対応する位置には吐出配管３８が取り付けられている。上述の如く吐出管９５から密閉容器１上部に吐出された冷媒は、連通孔１２０を通過し、吐出配管３８から圧縮機Ｃの外部に吐出される。尚、回転軸５の下端にはオイルポンプ４０が設けらており、一端が密閉容器１内下部のオイル溜め３６内に浸漬されている。そして、当該オイルポンプ４０により吸い上げられたオイルは、回転軸５内中心に形成されたオイル通路４２及びオイル通路４２から回転軸５の軸方向となる圧縮要素３の側面に渡って形成されたオイル孔４４、４５を介して圧縮要素３の摺動部等に供給される。また、密閉容器１内には例えばＣＯ2（二酸化炭素）、Ｒ−１３４ａ、或いは、ＨＣ系の冷媒が所定量封入される。
【００４３】
以上の構成で、駆動要素２の固定子４の固定子コイルに通電されると、回転子６が下から見て時計回り方向に回転する。この回転子６の回転は回転軸５を介して圧縮部材８９に伝達され、これにより、圧縮部材８９はシリンダ７８内において下から見て時計回り方向に回転する。今、圧縮部材８９の上面９３の上死点が吐出ポート２８のベーン１１側にあり、ベーン１１の吸込ポート２７側でシリンダ７８、支持部材７７、圧縮部材８９及びベーン１１で囲まれた空間（低圧室）内に吸込配管２６及び吸込通路２４を介して吸込ポート２７から冷媒回路内の冷媒が吸い込まれているものとする。
【００４４】
そして、その状態から圧縮部材８９が回転していくと、上死点がベーン１１、吸込ポート２７を過ぎた段階から上面９３の傾斜により上記空間の体積は狭められていき、空間（高圧室）内の冷媒は圧縮されていく。そして、上死点が吐出ポート２８を通過するまで圧縮された冷媒は吐出ポート２８から吐出され続ける。一方、上死点が吸込ポート２７を通過した後、ベーン１１の吸込ポート２７側でシリンダ７８、支持部材７９、圧縮部材８９及びベーン１１で囲まれた空間（低圧室）の体積は拡大していくので、吸込配管２６及び吸込通路２４を介して吸込ポート２７から冷媒回路内の冷媒が圧縮空間２１内に吸い込まれていく。
【００４５】
吐出ポート２８からは吐出バルブ１２及び吐出管９５を介して、冷媒が密閉容器１内上部に吐出される。そして、密閉容器１内に吐出された高圧冷媒は、密閉容器１の上部を通過し、支持部材７７及びシリンダ７８に形成された連通孔１２０を経て、吐出配管３８より冷媒回路に吐出される。一方、分離したオイルは、連通孔１２０を流下し、更に、密閉容器１と固定子４の間から流下して、オイル溜め３６に戻ることとなる。
【００４６】
尚、実施例では背圧室１７を密閉空間とすることで、ベーン１１の背圧として印加される背圧室１７の圧力を吸込ポート２７に吸い込まれる冷媒の圧力より高く、密閉容器１内の圧力より低い値としたが、このように背圧室１７を密閉空間とする場合に限らず、例えば、背圧室１７と密閉容器１内とを微細な通路（ノズル）により連通させるものとしても構わない。この場合、密閉容器１内の冷媒がノズルを通って背圧室１７に流入するため、当該ノズルを通過する過程で、冷媒の圧力が低下する。これにより、背圧室１７を吸込ポート２７に吸い込まれる冷媒の圧力より高く、密閉容器１内の圧力より低い値となるので、圧力差を利用して、ベーン１１の周辺部への給油を円滑に行うことができるようになる。また、ノズルの径を調整することで、背圧室１７内に流入する冷媒の圧力も自在に設定することができる。
【００４７】
また、圧縮部材８９の他面側の空間５４も背圧室１７と同様に、密閉空間として空間５４の圧力も、吸込ポート２７に吸い込まれる低圧冷媒より高く、密閉容器１内の高圧冷媒の圧力より低い中間圧としたが、当該空間５４も密閉容器１内と微細な通路（ノズル）により連通させるものとしても構わない。この場合、密閉容器１内の冷媒がノズルを通って空間５４に流入するため、当該ノズルを通過する過程で、冷媒の圧力が低下する。これにより、空間５４を吸込ポート２７に吸い込まれる冷媒の圧力より高く、密閉容器１内の圧力より低い値となるので、圧縮部材８９の上面９３が受け面となる突出部材８４の下面８４とが著しく摩耗する不都合を回避することができる。これにより、圧縮部材８９の上面９３の耐久性を改善することができる。更に、空間５４を係る中間圧とすることで、圧力差を利用して、空間５４の周辺部である圧縮部材８９や主軸受１３付近への給油も円滑に行うことができるようになる。また、ノズルの径を調整することで、空間５４内に流入する冷媒の圧力も自在に設定することが可能となる。
【００４８】
また、本実施例では、回転軸５の軸受を圧縮要素３の上側（副軸受８３）及び下側（主軸受１３）と駆動要素２の下側（副軸受８６）の３箇所に設けるものとしたが、圧縮要素３の上側と駆動要素２の下側、若しくは、圧縮要素３の下側と駆動要素２の下側の２箇所に設けるものとしても構わない。この場合においても、回転軸５を十分に支持することが可能である。
【実施例２】
【００４９】
次に、図５乃至図７は第２の実施例の圧縮機Ｃを示し、図５乃至図７は第２の実施例の圧縮機Ｃの縦断側面図であり、各図はそれぞれ異なる断面を示した図である。尚、図５乃至図７にて上記図１乃至図４に示されているものと同一の符号が付されているものは、同様若しくは類似の効果を奏するものであるので説明を省略する。
【００５０】
この場合、密閉容器１内の下側に駆動要素２を、上側に圧縮要素３を収納し、圧縮要素３の圧縮空間２１を圧縮部材１０９の駆動要素２側となる下面側とし、当該圧縮部材１０９の下面（一面）１１３を上死点から下死点の間で連続して傾斜する形状としている。
【００５１】
また、主支持部材１０７及びシリンダ１０８内にはスロット１６が形成され、このスロット１６内にはベーン１１が上下往復動自在に挿入される。このスロット１６の下部には背圧室１７が形成されると共に、スロット１６内にはベーン１１の下面を上方に押圧する付勢手段としてのコイルバネ１８が配置されている。そして、ベーン１１は、圧縮部材１０９の下面１１３に当接し、シリンダ１０８内の圧縮空間２１を低圧室と高圧室とに区画する。また、コイルバネ１８はこのベーン１１を常時下面１１３側に付勢する。
【００５２】
そして、背圧室１７は上記実施例の如く密閉空間として当該背圧室１７の圧力を吸込ポート２７に吸い込まれる冷媒（冷媒）の圧力より高く、且つ、密閉容器１内の圧力より低い値としている。このように、背圧室１７を密閉容器１内と連通させずに、密閉した空間とすることで、当該背圧室１７にはベーン１１の隙間から圧縮空間２１の低圧室側と高圧室側の冷媒が僅かに流入するのみとなる。このため、背圧室１７は吸込ポート２７に吸い込まれる冷媒の圧力より高く、且つ、密閉容器１内の圧力より低い中間圧となる。これにより、密閉容器１内より背圧室１７内の圧力の方が低くなるので、係る圧力差を利用して、回転軸５内のオイル通路４２を上昇し、オイル孔４４、４５からのオイルをベーン１１の周辺部にも供給することができるようになる。
【００５３】
他方、圧縮部材１０９の他面側となる空間１１５は、圧縮部材１０９と主支持部材１０７により密閉された空間とされている。これにより、圧縮部材１０９とシリンダ１０８との間のクリアランスから僅かに圧縮空間２１内の冷媒が流れ込むため、空間１１５の圧力は、吸込ポート２７に吸い込まれる低圧冷媒より高く、密閉容器１内の高圧冷媒の圧力より低い中間圧となる。
【００５４】
このように、空間１１５の圧力を中間圧とすることで、圧縮部材１０９が空間１１５の圧力により上側に強く押されて、圧縮部材１０９の下面１１３が受け面となる突出部材１１２の上面１１２Ａとが著しく摩耗する不都合を回避することができる。これにより、圧縮部材１０９の下面１１３の耐久性を改善することができる。
【００５５】
また、圧縮部材１０９の他面側となる空間１１５の圧力を中間圧とすることで、密閉容器１内の圧力より空間１１５の圧力が低くなるので、当該圧力差を利用して、空間１１５の周辺部である圧縮部材１０９や主軸受１３付近へのオイル供給も円滑に行うことができるようになる。
【００５６】
尚、本実施例においても上記実施例と同様に背圧室１７を密閉空間とすることで、ベーン１１の背圧として印加される背圧室１７の圧力を吸込ポート２７に吸い込まれる冷媒の圧力より高く、密閉容器１内の圧力より低い値としたが、このように背圧室１７を密閉空間とする場合に限らず、例えば、背圧室１７と密閉容器１内とを微細な通路（ノズル）により連通させるものとしても構わない。この場合、密閉容器１内の冷媒がノズルを通って背圧室１７に流入するため、当該ノズルを通過する過程で、冷媒の圧力が低下する。これにより、背圧室１７を吸込ポート２７に吸い込まれる冷媒の圧力より高く、密閉容器１内の圧力より低い値となるので、圧力差を利用して、ベーン１１の周辺部への給油を円滑に行うことができるようになる。また、ノズルの径を調整することで、背圧室１７内に流入する冷媒の圧力も自在に設定することができる。
【００５７】
また、圧縮部材８９の他面側の空間１１５も背圧室１７と同様に、密閉空間として空間１１５の圧力も、吸込ポート２７に吸い込まれる低圧冷媒より高く、密閉容器１内の高圧冷媒の圧力より低い中間圧としたが、当該空間１１５も密閉容器１内と微細な通路（ノズル）により連通させるものとしても構わない。この場合、密閉容器１内の冷媒がノズルを通って空間１１５に流入するため、当該ノズルを通過する過程で、冷媒の圧力が低下する。これにより、空間１１５を吸込ポート２７に吸い込まれる冷媒の圧力より高く、密閉容器１内の圧力より低い値となるので、圧縮部材８９の上面９３が受け面となる突出部材８４の下面８４とが著しく摩耗する不都合を回避することができる。これにより、圧縮部材８９の上面９３の耐久性を改善することができる。更に、空間１１５を係る中間圧とすることで、圧力差を利用して、空間１１５の周辺部である圧縮部材８９や主軸受１３付近への給油も円滑に行うことができるようになる。また、ノズルの径を調整することで、空間１１５内に流入する冷媒の圧力も自在に設定することが可能となる。
【００５８】
尚、上記各実施例では冷凍機の冷媒回路に使用されて冷媒を圧縮する圧縮機を例にとって説明したが、それに限らず、空気を吸い込んで圧縮し、吐出する所謂エアーコンプレッサにも本発明は有効である。
【図面の簡単な説明】
【００５９】
【図１】本発明の第１の実施例の圧縮機の縦断側面図である。
【図２】図１の圧縮機のもう一つの縦断側面図である。
【図３】図１の圧縮機の更にもう一つの縦断側面図である。
【図４】図１の圧縮機の圧縮要素の斜視図である。
【図５】本発明の第２の実施例の圧縮機の圧縮要素の縦断側面図である。
【図６】図５の圧縮機のもう一つの縦断側面図である。
【図７】図５の圧縮機の更にもう一つの縦断側面図である。
【符号の説明】
【００６０】
Ｃ  圧縮機
１  密閉容器
２  駆動要素
３  圧縮要素
４  固定子
５  回転軸
６  回転子
７７  支持部材
７８、１０８  シリンダ
８９、１０９  圧縮部材
１１  ベーン
１３  主軸受
１６  スロット
１８  コイルバネ
２１  圧縮空間
１１０  副支持部材
２３  副軸受
２４  吸込通路
２６  吸込配管
２７  吸込ポート
２８  吐出ポート
９３  上面
３６  オイル溜め
３８  吐出配管
４０  オイルポンプ
４２  オイル通路
４４、４５  オイル孔
７９、１０７  主支持部材
１１３  下面
【図１】
2006097631.tif 000003
【図２】
2006097631.tif 000004
【図３】
2006097631.tif 000005
【図４】
2006097631.tif 000006
【図５】
2006097631.tif 000007
【図６】
2006097631.tif 000008
【図７】
2006097631.tif 000009